(57)【要約】  本発明は、データ伝送の方法及び装置を開示し、ＴＲＰの数及びビームの数の増加につれて、ネットワークノードの識別情報に対する渡す及び識別がより複雑になる従来の問題点を解決する。前記方法では、送信端は、少なくとも１つの同期信号ＳＩを送信し、ＳＩに第１識別子が含まれ、ＳＩに対応するシステム情報の時間-周波数位置において、システム情報を送信し、システム情報に第２識別子を表す情報が含まれ，前記送信端の識別情報は、前記第１識別子と、前記第２識別子とを含む。ＳＩと第１識別子との間のマッピング関係に従って、受信端がＳＩを検出すると、第１識別子を取得することができる。システム情報に第２識別子を表す情報を含ませることにより、受信端がシステム情報を検出すると、第２識別子を取得することができる。このように、受信端は、第１識別子及び第２識別子に従って、送信端の全ての識別情報を取得する。
2019527517.tif 000002
【特許請求の範囲】
【請求項１】
送信端は、少なくとも１つの同期信号ＳＩを送信し、前記ＳＩに第１識別子を含ませるステップと、
前記送信端は、前記ＳＩに対応するシステム情報の時間-周波数位置において、前記システム情報を送信するステップとを備え、
前記システム情報に第２識別子を表す情報が含まれ、
前記送信端の識別情報は、前記第１識別子と、前記第２識別子とを含むことを特徴とするデータの送信方法。
【請求項２】
前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませることを特徴とする請求項1に記載のデータの送信方法。
【請求項３】
前記送信端は、前記第１識別子で前記システム情報をスクランブルし、または、
前記送信端は、前記第１識別子に基づき、前記システム情報のリファレンス信号を生成することを特徴とする請求項1に記載のデータの送信方法。
【請求項４】
前記送信端は、以下の方式で前記ＳＩに対応するシステム情報の時間-周波数位置を確定し、
前記送信端は、前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記送信端は、前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
前記送信端は、事前に定義された時間-周波数位置集合に基づき、前記ＳＩに対応するシステム情報の時間-周波数位置を確定し、前記時間-周波数位置集合に前記ＳＩに対応するシステム情報の時間-周波数位置が含まれることを特徴とする請求項1に記載のデータの送信方法。
【請求項５】
前記ＳＩに対応するシステム情報の時間-周波数位置が少なくとも２個であれば、
前記送信端は、前記少なくとも２個の時間-周波数位置から、１つを選出して前記システム情報の時間-周波数位置とすることを特徴とする請求項４に記載のデータの送信方法。
【請求項６】
前記第２識別子を表す情報は、前記第２識別子であり、または、
前記第２識別子を表す情報と前記第２識別子の間に所定の第１制約条件を満たし、または、
前記第２識別子を表す情報、前記第１識別子と前記第２識別子の間に限定された第２制約条件を満たすことを特徴とする請求項1ないし請求項５のいずれか1項に記載のデータの送信方法。
【請求項７】
前記ＳＩは少なくとも２つのサブ信号を含み、前記第１識別子は少なくとも２つの第１のサブ識別子を含み、各サブ信号は第１のサブ識別子のうちの１つに対応し、異なるサブ信号に対応する第１のサブ識別子は異なることを特徴とする請求項1ないし請求項５のいずれか1項に記載のデータの送信方法。
【請求項８】
前記第１識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含み、
前記第２識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含むことを特徴とする請求項1ないし請求項５のいずれか1項に記載のデータの送信方法。
【請求項９】
受信端は、少なくとも１つの同期信号ＳＩを検出した後、前記ＳＩに含まれる第１識別子を確定するステップと、
前記受信端は、前記ＳＩに対応するシステム情報を検出するステップと、
前記受信端は、前記システム情報に基づき、第２識別子を確定するステップとを備え、
前記システム情報に前記第２識別子を表す情報が含まれ、
前記ＳＩを送信する送信端の識別情報は、前記第１識別子と、前記第２識別子とを含むことを特徴とするデータの受信方法。
【請求項１０】
前記受信端は、少なくとも１つの同期信号ＳＩを検出した後、前記ＳＩに含まれる第１識別子を確定する場合、
前記受信端は、前記ＳＩのシーケンスに基づき、前記第１識別子を確定し、または、
前記受信端は、前記ＳＩのデスクランブルコードを、前記第１識別子として確定し、または、
前記受信端は、前記ＳＩ内のビット情報から、前記第１識別子を確定し、前記ＳＩ内のビット情報に前記第１識別子を表す情報が含まれることを特徴とする請求項９に記載のデータの受信方法。
【請求項１１】
前記受信端は、前記候補時間-周波数位置において、前記システム情報を検出する場合、
前記受信端は、前記第１識別子に基づき、受信した信号に対しデスクランブルを行い、または、
前記受信端は、前記第１識別子に基づき、前記システム情報のリファレンス信号を確定し、また、前記リファレンス信号に基づき、前記システム情報を検出することを特徴とする請求項９に記載のデータの受信方法。
【請求項１２】
前記受信端は、前記ＳＩに対応するシステム情報を検出する場合、
前記受信端は、前記ＳＩに対応するシステム情報の候補時間-周波数位置を確定し、前記システム情報の候補時間-周波数位置において、前記システム情報を検出し、前記受信端は、以下の方式で前記システム情報の候補時間-周波数位置を確定し、
前記受信端は、前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記受信端は、前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
前記受信端は事前に定義された時間-周波数位置集合に基づき、前記ＳＩに対応するシステム情報の候補時間-周波数位置を確定することを特徴とする請求項９に記載のデータの受信方法。
【請求項１３】
前記受信端は、前記システム情報に基づき、第２識別子を確定する場合、
前記受信端は、前記第２識別子を表す情報及び事前に定義された第１制約条件に基づき、前記第２識別子を確定し、または、
前記受信端は、前記第１識別子、前記第２識別子を表す情報及び事前に定義された第２制約条件に基づき、前記第２識別子を確定することを特徴とする請求項９に記載のデータの受信方法。
【請求項１４】
前記ＳＩは少なくとも２つのサブ信号を含み、前記第１識別子は少なくとも２つの第１のサブ識別子を含み、各サブ信号は第１のサブ識別子のうちの１つに対応し、異なるサブ信号に対応する第１のサブ識別子は異なることを特徴とする請求項８ないし請求項１２のいずれか１項に記載のデータの受信方法。
【請求項１５】
前記第１識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含み、
前記第２識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含むことを特徴とする請求項８ないし請求項１２のいずれか１項に記載のデータの受信方法。
【請求項１６】
少なくとも１つの同期信号ＳＩを送信し、前記ＳＩに第１識別子を含ませる第１処理モジュールと、
前記ＳＩに対応するシステム情報の時間-周波数位置において、前記システム情報を送信する第２処理モジュールとを備え、
前記システム情報に第２識別子を表す情報が含まれ、
前記送信端の識別情報は、前記第１識別子と、前記第２識別子とを含むことを特徴とするデータの送信装置。
【請求項１７】
前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませることを特徴とする請求項１６に記載のデータの送信装置。
【請求項１８】
前記第２処理モジュールは、
前記第１識別子で前記システム情報をスクランブルし、または、
前記第１識別子に基づき、前記システム情報のリファレンス信号を生成することを特徴とする請求項１６に記載のデータの送信装置。
【請求項１９】
前記第２処理モジュールは、
前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の時間-周波数位置を確定し、前記時間-周波数位置集合に前記ＳＩに対応するシステム情報の時間-周波数位置が含まれることを特徴とする請求項１６に記載のデータの送信装置。
【請求項２０】
前記ＳＩに対応するシステム情報の時間-周波数位置が少なくとも２個であれば、前記第２処理モジュールは、
前記少なくとも２個の時間-周波数位置から、１つを選出して前記システム情報の時間-周波数位置とすることを特徴とする請求項１９に記載のデータの送信装置。
【請求項２１】
少なくとも１つの同期信号ＳＩを検出した後、前記ＳＩに含まれる第１識別子を確定する第１確定モジュールと、
前記ＳＩに対応するシステム情報を検出する検出モジュールと、
前記システム情報に基づき、第２識別子を確定する第２確定モジュールとを備え、
前記システム情報に第２識別子を表す情報が含まれ、
前記ＳＩを送信する送信端の識別情報は、前記第１識別子と、前記第２識別子とを含むことを特徴とするデータの受信装置。
【請求項２２】
前記第１確定モジュールは、
前記ＳＩのシーケンスに基づき、前記第１識別子を確定し、または、
前記ＳＩのデスクランブルコードを、前記第１識別子として確定し、または、
前記ＳＩ中のビット情報から、前記第１識別子を確定し、前記ＳＩ内のビット情報に前記第１識別子を表す情報が含まれることを特徴とする請求項２1に記載のデータの受信装置。
【請求項２３】
前記検出モジュールは、
前記第１識別子に基づき、受信した信号に対しデスクランブルを行い、または、
前記第１識別子に基づき、前記システム情報のリファレンス信号を確定し、また、前記リファレンス信号に基づき、前記システム情報を検出することを特徴とする請求項２1に記載のデータの受信装置。
【請求項２４】
前記検出モジュールは、
前記ＳＩに対応するシステム情報の候補時間-周波数位置を確定し、前記システム情報の候補時間-周波数位置において、前記システム情報を検出し、ここで、以下の方式で前記システム情報の候補時間-周波数位置を確定し、
前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の候補時間-周波数位置を確定することを特徴とする請求項２1に記載のデータの受信装置。
【請求項２５】
前記第２確定モジュールは、
前記第２識別子を表す情報及び事前に定義された第１制約条件に基づき、前記第２識別子を確定し、または、
前記第１識別子、前記第２識別子を表す情報及び事前に定義された第２制約条件に基づき、前記第２識別子を確定することを特徴とする請求項２1に記載のデータの受信装置。
【請求項２６】
送受信機と、前記送受信機に接続する少なくとも１つのプロセッサとを備え、
前記プロセッサは、メモリに格納されたプログラムを読み出し、
前記送受信機を介して少なくとも１つの同期信号ＳＩを送信し、前記ＳＩに第１識別子を含ませ、
前記ＳＩに対応するシステム情報の時間-周波数位置において、前記送受信機を介して前記システム情報を送信し、前記システム情報に第２識別子を表す情報が含まれ、前記送信端の識別情報は、前記第１識別子と、前記第２識別子とを含み、
前記送受信機は、前記プロセッサの制御により、データを送受信することを特徴とするデータの送信装置。
【請求項２７】
前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませることを特徴とする請求項２６に記載のデータの送信装置。
【請求項２８】
前記プロセッサは、
前記第１識別子で前記システム情報をスクランブルし、または、
前記第１識別子に基づき、前記システム情報のリファレンス信号を生成することを特徴とする請求項２６に記載のデータの送信装置。
【請求項２９】
前記プロセッサは、
前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の時間-周波数位置を確定し、前記時間-周波数位置集合に前記ＳＩに対応するシステム情報の時間-周波数位置が含まれることを特徴とする請求項２６に記載のデータの送信装置。
【請求項３０】
前記ＳＩに対応するシステム情報の時間-周波数位置が少なくとも２個であれば、前記プロセッサは、
前記少なくとも２個の時間-周波数位置から、１つを選出して前記システム情報の時間-周波数位置とすることを特徴とする請求項２９に記載のデータの送信装置。
【請求項３１】
送受信機と、前記送受信機に接続する少なくとも１つのプロセッサとを備え、
前記プロセッサは、メモリに格納されたプログラムを読み出し、少なくとも１つの同期信号ＳＩを検出した後、前記ＳＩに含まれる第１識別子を確定し、前記ＳＩに対応するシステム情報を検出し、前記システム情報に基づき、第２識別子を確定し、前記システム情報に第２識別子を表す情報が含まれ、前記ＳＩを送信する送信端の識別情報は、前記第１識別子と、前記第２識別子とを含み、
前記送受信機は、前記プロセッサの制御により、データを送受信することを特徴とするデータの受信装置。
【請求項３２】
前記プロセッサは、
前記ＳＩのシーケンスに基づき、前記第１識別子を確定し、または、
前記ＳＩのデスクランブルコードを、前記第１識別子として確定し、または、
前記ＳＩ中のビット情報から、前記第１識別子を確定し、前記ＳＩ内のビット情報に前記第１識別子を表す情報が含まれることを特徴とする請求項３１に記載のデータの受信装置。
【請求項３３】
前記プロセッサは、
前記第１識別子に基づき、受信した信号に対しデスクランブルを行い、または、
前記第１識別子に基づき、前記システム情報のリファレンス信号を確定し、また、前記リファレンス信号に基づき、前記システム情報を検出することを特徴とする請求項３１に記載のデータの受信装置。
【請求項３４】
前記プロセッサは、
前記ＳＩに対応するシステム情報の候補時間-周波数位置を確定し、前記システム情報の候補時間-周波数位置において、前記システム情報を検出し、ここで、以下の方式で前記システム情報の候補時間-周波数位置を確定し、
前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の候補時間-周波数位置を確定することを特徴とする請求項３１に記載のデータの受信装置。
【請求項３５】
前記プロセッサは、
前記第２識別子を表す情報及び事前に定義された第１制約条件に基づき、前記第２識別子を確定し、または、
前記第１識別子、前記第２識別子を表す情報及び事前に定義された第２制約条件に基づき、前記第２識別子を確定することを特徴とする請求項３１に記載のデータの受信装置。
【発明の詳細な説明】
【技術分野】
【０００１】
本発明は通信技術分野に関し、特に、データ伝送の方法及び装置。
【背景技術】
【０００２】
通信システムは、少なくとも１つのネットワークノード（ｎｏｄｅ）と、それと通信する少なくとも１つのユーザ機器（Ｕｓｅｒ Ｅｑｕｉｐｍｅｎｔ， ＵＥ）とを含む。に電源が投入された後、ネットワークにアクセスするために、ＵＥは少なくとも1つのネットワークノードを探し出し、そのネットワークノードを介してネットワークにアクセスする。ネットワークが複数のネットワークノードを含む場合、ＵＥは複数のネットワークノードのうちの任意の１つを介してネットワークにアクセスすることができる。セルラシステムを例にとると、ネットワークノードはセル（Ｃｅｌｌ）として構成され、各セルは異なる信号を送信し、ＵＥは異なるセルの信号を検出し、セルのうちの適切な１つを選択し、ネットワークにアクセスする。このプロセスは初期アクセスと呼ばれる。セルラシステムでは、ＵＥはまた、セルを識別すること、すなわちセル再選択中または接続状態で、セルを識別することに加えて、適切なセルを識別するしてそこに在留するか、またはハンドオーバ要求を基地局に報告する要求。
【０００３】
ロングタームエボリューション（ｌｏｎｇ Ｔｅｒｍ Ｅｖｏｌｕｔｉｏｎ， ＬＴＥ）システムでは、同期信号（Ｓｙｎｃｈｒｏｎｉｚａｔｉｏｎ Ｓｉｇｎａｌ）にセルの識別情報を含ませる。ＬＴＥシステムの同期信号には、一次同期信号（Ｐｒｉｍａｒｙ Ｓｙｎｃｈｒｏｎｉｚａｔｉｏｎ Ｓｉｇｎａｌ，ＰＳＳ）及び二次同期信号（Ｓｅｃｏｎｄａｒｙ Ｓｙｎｃｈｒｏｎｉｚａｔｉｏｎ Ｓｉｇｎａｌ， ＳＳＳ）が含まれる。サービングする基地局は１つまたは複数の送信アンテナを含むことができ、ＰＳＳまたはＳＳＳはビームフォーミング後に複数のアンテナを介して送信される。ＰＳＳまたはＳＳＳはセルにアクセスするためにセル内のすべてのＵＥに対して設計されているので、ＰＳＳまたはＳＳＳがセル内のすべてのユーザによって受信されることができるようにビームフォーミング方式がワイドビームフォーミング用に設計される。したがって、１つのセルが１つのＰＳＳ/ＳＳＳを送信し、セルはＰＳＳまたはＳＳＳを送信し、この信号とこのセルのCell ＩＤ （セル識別子）との間には１対１の対応関係がある。セルのＰＳＳ/ＳＳＳを検出した各ＵＥは、対応するセルのＣｅｌｌ ＩＤを取得してセルを識別する。
【０００４】
従来の通信システムは一般に低周波数帯域に配置されており、ネットワークノード側には少数のアンテナがある。将来の通信システムは、０．４ＧＨｚから１００ＧＨｚ以上の周波数帯で展開されるであろう。６ＧＨｚ未満の低周波数帯域と６ＧＨｚを超える高周波数帯域との間で伝搬性能に差があるため、高周波帯域における経路損失は、低周波数帯域における経路損失よりもはるかに高い。同じ伝搬距離で見かけの距離条件では、キャリア周波数２６ＧＨｚの損失はキャリア周波数２.６ＧＨｚの損失よりも２０ｄＢ大きい。実効輻射電力（Ｅｆｆｅｃｔｉｖｅ Ｉｓｏｔｒｏｐｉｃ Ｒａｄｉａｔｅｄ Ｐｏｗｅｒ， ＥＩＲＰ）が同じである条件で、高周波帯域内の信号のカバーエリアは劇的に狭くなり、同期および初期アクセス信号の既存の設計は十分なネットワークエリアを保証することができない。十分なネットワーク領域を保証するために、将来のシステムのセル内に複数の送受信ポイント（Ｔｒａｎｓｍｉｔ ｏｒ ｒｅｃｅｉｖｅ ｐｏｉｎｔ，ＴＲＰ）が存在する可能性がある。さらに、将来のシステムにおけるアンテナの数は、数百から数千にも劇的に増大し、多数のアンテナはビームフォーミングによって狭く形成されたビームを生成することができ、そしてビーム利得のためにビーム内カバレージエリアは改善され得る。しかしながら、ビームが狭くなっているので、各ビームでカバーすることができるより小さな角度があり、セルは、セル全体をカバーすることができるように異なる方向を向くように複数のビームを備えるべきである。将来のシステムでは、ＵＥはまた、セルに加えてＴＲＰおよびビームを識別する必要があるかもしれない。
【０００５】
要約すると、ネットワーク内の配置密度が増加するにつれて、ＴＲＰの数及びビームの数が増加するので、ネットワークノードの識別情報に対する渡す及び識別はより複雑になる。
【発明の概要】
【発明が解決しようとする課題】
【０００６】
本発明に係る実施例は、データ伝送の方法及び装置を提供し、ＴＲＰの数及びビームの数の増加につれて、ネットワークノードの識別情報に対する渡す及び識別がより複雑になる従来の問題点を解決する。
【課題を解決するための手段】
【０００７】
第１態様によれば、本発明の実施例に係るデータの送信方法は、
送信端は、少なくとも１つの同期信号ＳＩを送信し、前記ＳＩに第１識別子を含ませるステップと、前記送信端は、前記ＳＩに対応するシステム情報の時間-周波数位置において、前記システム情報を送信するステップとを備え、
前記システム情報に第２識別子を表す情報が含まれ、
前記送信端の識別情報は、前記第１識別子と、前記第２識別子とを含む。
【０００８】
好ましくは、前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませる。
【０００９】
好ましくは、前記方法では、
前記送信端は、前記第１識別子で前記システム情報をスクランブルし、または、
前記送信端は、前記第１識別子に基づき、前記システム情報のリファレンス信号を生成する。
【００１０】
好ましくは、前記送信端は、以下のステップで、前記ＳＩに対応するシステム情報の時間-周波数位置を確定し、
前記送信端は、前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記送信端は、前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
前記送信端は、所定の時間-周波数位置集合に基づき、前記ＳＩに対応するシステム情報の時間-周波数位置を確定し、前記時間-周波数位置集合に前記ＳＩに対応するシステム情報の時間-周波数位置が含まれる。
【００１１】
好ましくは、前記ＳＩに対応するシステム情報の時間-周波数位置が少なくとも２個であれば、前記方法では、
前記送信端は、前記少なくとも２個の時間-周波数位置から、１つを選出して前記システム情報の時間-周波数位置とする。
【００１２】
好ましくは、第２識別子を表す情報は、前記第２識別子であり、または、
第２識別子を表す情報と前記第２識別子の間に所定の第１制約条件を満たし、または、
第２識別子を表す情報、前記第１識別子と前記第２識別子の間に限定された第２制約条件を満たす。
【００１３】
好ましくは、前記ＳＩは少なくとも２つのサブ信号を含み、前記第１識別子は少なくとも２つの第１のサブ識別子を含み、各サブ信号は第１のサブ識別子のうちの１つに対応し、異なるサブ信号に対応する第１のサブ識別子は異なる。
【００１４】
好ましくは、前記第１識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含み、
前記第２識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含む。
【００１５】
第２態様によれば、本発明の実施例に係るデータの受信方法は、
受信端は少なくとも１つの同期信号ＳＩを検出した後、前記ＳＩに含まれる第１識別子を確定し、
前記受信端は、前記ＳＩに対応するシステム情報を検出し、
前記受信端は、前記システム情報に基づき、第２識別子を確定し、前記システム情報に前記第２識別子を表す情報が含まれ、
前記ＳＩを送信する送信端の識別情報は、前記第１識別子と、前記第２識別子とを含む。
【００１６】
好ましくは、前記受信端少なくとも１つの同期信号ＳＩを検出した後、前記ＳＩに含まれる第１識別子を確定する場合、
前記受信端は、前記ＳＩのシーケンスに基づき、前記第１識別子を確定し、または、
前記受信端は、前記ＳＩのデスクランブルコードを、前記第１識別子として確定し、または、
前記受信端は、前記ＳＩ内のビット情報から、前記第１識別子を確定し、前記ＳＩ内のビット情報に前記第１識別子を表す情報が含まれる。
【００１７】
好ましくは、前記受信端は、前記候補時間-周波数位置において、前記システム情報を検出する場合、
前記受信端は、前記第１識別子に基づき、受信した信号に対しデスクランブルを行い、または、
前記受信端は、前記第１識別子に基づき、前記システム情報のリファレンス信号を確定し、また、前記リファレンス信号に基づき、前記システム情報を検出する。
【００１８】
好ましくは、前記受信端が前記ＳＩに対応するシステム情報を検出する場合、
前記受信端は、前記ＳＩに対応するシステム情報の候補時間-周波数位置を確定し、前記システム情報の候補時間-周波数位置において、前記システム情報を検出し、前記受信端は、以下のステップで、前記システム情報の候補時間-周波数位置を確定し、
前記受信端は、前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記受信端は、前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
前記受信端は、所定の時間-周波数位置集合に基づき、前記ＳＩに対応するシステム情報の候補時間-周波数位置を確定する。
【００１９】
好ましくは、前記受信端は、前記システム情報に基づき、第２識別子を確定する場合、
前記受信端は、前記第２識別子を表す情報及び所定の第１制約条件に基づき、前記第２識別子を確定し、または、
前記受信端は、前記第１識別子、前記第２識別子を表す情報及び所定の第２制約条件に基づき、前記第２識別子を確定する。
【００２０】
好ましくは、前記ＳＩは少なくとも２つのサブ信号を含み、前記第１識別子は少なくとも２つの第１のサブ識別子を含み、各サブ信号は第１のサブ識別子のうちの１つに対応し、異なるサブ信号に対応する第１のサブ識別子は異なる。
【００２１】
好ましくは、前記第１識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含み、
前記第２識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含む。
【００２２】
第３態様によれば、本発明の実施例に係るコンピュータ可読記憶媒体に実行可能プログラムコードを格納されており、当該プログラムコードは、第１態様に記載の前記方法を実行する。
【００２３】
第４態様によれば、本発明の実施例に係るコンピュータ可読記憶媒体に実行可能プログラムコードを格納されており、当該プログラムコードは、第２態様に記載の前記方法を実行する。
【００２４】
第５態様によれば、本発明の実施例に係るデータの送信装置は、
少なくとも１つの同期信号ＳＩを送信し、前記ＳＩに第１識別子を含ませる第１処理モジュールと、
前記ＳＩに対応するシステム情報の時間-周波数位置において、前記システム情報を送信する第２処理モジュールとを備え、
前記システム情報に第２識別子を表す情報が含まれ、
前記送信端の識別情報は、前記第１識別子と、前記第２識別子とを含む。
好ましくは、前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませる。
【００２５】
好ましくは、前記第２処理モジュールは、
前記第１識別子で前記システム情報をスクランブルし、または、
前記第１識別子に基づき、前記システム情報のリファレンス信号を生成する。
【００２６】
好ましくは、前記第２処理モジュールは、
前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
所定の時間-周波数位置集合に基づき、前記ＳＩに対応するシステム情報の時間-周波数位置を確定し、前記時間-周波数位置集合に前記ＳＩに対応するシステム情報の時間-周波数位置が含まれる。
【００２７】
好ましくは、前記ＳＩに対応するシステム情報の時間-周波数位置が少なくとも２個であれば、前記第２処理モジュールは、
前記少なくとも２個の時間-周波数位置から、１つを選出して前記システム情報の時間-周波数位置とする。
【００２８】
第６態様によれば、本発明の実施例に係るデータの送信装置，前記送信装置は、送受信機と、前記送受信機に接続する少なくとも１つのプロセッサとを備え、
前記プロセッサは、メモリに格納されたプログラムを読み出し、
前記送受信機を介して少なくとも１つの同期信号ＳＩを送信し、前記ＳＩに第１識別子を含ませ、
前記ＳＩに対応するシステム情報の時間-周波数位置において、前記送受信機を介して前記システム情報を送信し、前記システム情報に第２識別子を表す情報が含まれ、
前記送受信機は、前記プロセッサの制御により、データを送受信し、
前記送信端の識別情報は、前記第１識別子と、前記第２識別子とを含む。
【００２９】
好ましくは、前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませる。
好ましくは、前記プロセッサは、メモリに格納されたプログラムを読み出し、
前記第１識別子で前記システム情報をスクランブルし、または、
前記第１識別子に基づき、前記システム情報のリファレンス信号を生成する。
【００３０】
好ましくは、前記プロセッサは、メモリに格納されたプログラムを読み出し、
前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
所定の時間-周波数位置集合に基づき、前記ＳＩに対応するシステム情報の時間-周波数位置を確定し、前記時間-周波数位置集合に前記ＳＩに対応するシステム情報の時間-周波数位置が含まれる。
【００３１】
好ましくは、前記ＳＩに対応するシステム情報の時間-周波数位置が少なくとも２個であれば、前記プロセッサは、メモリに格納されたプログラムを読み出し、
前記少なくとも２個の時間-周波数位置から、１つを選出して前記システム情報の時間-周波数位置とする。
【００３２】
第７態様によれば、本発明の実施例に係るデータの受信装置は、
少なくとも１つの同期信号ＳＩを検出した後、前記ＳＩに含まれる第１識別子を確定する第１確定モジュールと、
前記ＳＩに対応するシステム情報を検出する検出モジュールと、
前記システム情報に基づき、第２識別子を確定する第２確定モジュールとを備え、
前記システム情報に第２識別子を表す情報が含まれ、
前記ＳＩを送信する送信端の識別情報は、前記第１識別子と、前記第２識別子とを含む。
【００３３】
好ましくは、前記第１確定モジュールは、
前記ＳＩのシーケンスに基づき、前記第１識別子を確定し、または、
前記ＳＩのデスクランブルコードを、前記第１識別子として確定し、または、
前記ＳＩ中のビット情報から、前記第１識別子を確定し、前記ＳＩ内のビット情報に前記第１識別子を表す情報が含まれる。
【００３４】
好ましくは、前記検出モジュールは、
前記第１識別子に基づき、受信した信号に対しデスクランブルを行い、または、
前記第１識別子に基づき、前記システム情報のリファレンス信号を確定し、また、前記リファレンス信号に基づき、前記システム情報を検出する。
【００３５】
好ましくは、前記検出モジュールは、
前記ＳＩに対応するシステム情報の候補時間-周波数位置を確定し、前記システム情報の候補時間-周波数位置において、前記システム情報を検出し、ここで、以下のステップで、前記システム情報の候補時間-周波数位置を確定する。
【００３６】
前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
所定の時間-周波数位置集合に基づき、前記ＳＩに対応するシステム情報の候補時間-周波数位置を確定する。
【００３７】
好ましくは、前記第２確定モジュールは、
前記第２識別子を表す情報及び所定の第１制約条件に基づき、前記第２識別子を確定し、または、
前記第１識別子、前記第２識別子を表す情報及び所定の第２制約条件に基づき、前記第２識別子を確定する。
【００３８】
第８態様によれば、本発明の実施例に係るデータの受信装置は、送受信機と、前記送受信機に接続する少なくとも１つのプロセッサとを備え、
前記プロセッサは、メモリに格納されたプログラムを読み出し、
少なくとも１つの同期信号ＳＩを検出した後、前記ＳＩに含まれる第１識別子を確定し、前記ＳＩに対応するシステム情報を検出し、前記システム情報に基づき、第２識別子を確定し、前記システム情報に第２識別子を表す情報が含まれ、
前記送受信機は、前記プロセッサの制御により、データを送受信し、
前記ＳＩを送信する送信端の識別情報は、前記第１識別子と、前記第２識別子とを含む。
【００３９】
好ましくは、前記プロセッサは、前記メモリに格納されたプログラムを読み出し、
前記ＳＩのシーケンスに基づき、前記第１識別子を確定し、または、
前記ＳＩのデスクランブルコードを、前記第１識別子として確定し、または、
前記ＳＩ中のビット情報から、前記第１識別子を確定し、前記ＳＩ内のビット情報に前記第１識別子を表す情報が含まれる。
【００４０】
好ましくは、前記プロセッサは、前記メモリに格納されたプログラムを読み出し、
前記第１識別子に基づき、受信した信号に対しデスクランブルを行い、または、
前記第１識別子に基づき、前記システム情報のリファレンス信号を確定し、また、前記リファレンス信号に基づき、前記システム情報を検出する。
【００４１】
好ましくは、前記プロセッサは、前記メモリに格納されたプログラムを読み出し、
前記ＳＩに対応するシステム情報の候補時間-周波数位置を確定し、前記システム情報の候補時間-周波数位置において、前記システム情報を検出し、ここで、以下のステップで、前記システム情報の候補時間-周波数位置を確定し、
前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
所定の時間-周波数位置集合に基づき、前記ＳＩに対応するシステム情報の候補時間-周波数位置を確定する。
【００４２】
好ましくは、前記プロセッサは、前記メモリに格納されたプログラムを読み出し、
前記第２識別子を表す情報及び所定の第１制約条件に基づき、前記第２識別子を確定し、または、
前記第１識別子、前記第２識別子を表す情報及び所定の第２制約条件に基づき、前記第２識別子を確定する。
【発明の効果】
【００４３】
本発明の実施例に係る方法及び装置において、ＳＩと第１識別子との間のマッピング関係に従って、受信端がＳＩを検出すると、第１識別子を取得することができる。システム情報に第２識別子を表す情報を含ませることにより、受信端がシステム情報を検出すると、第２識別子を取得することができる。このように、受信端は、第１識別子及び第２識別子に従って、送信端のすべての識別情報を取得することができ、したがって、ネットワークアクセスの柔軟性を向上させる。
【図面の簡単な説明】
【００４４】
【図１】本発明の実施例に係るデータの送信方法のフローチャートである。
【図２】本発明の実施例に係るＳＩ及びシステム情報の伝送を示す図である。
【図３】本発明の実施例に係るデータの受信方法のフローチャートである。
【図４】本発明の実施例に係るデータの送信装置を示す図である。
【図５】本発明の実施例に係るたのデータの送信装置を示す図である。
【図６】本発明の実施例に係るデータの受信装置を示す図である。
【図７】本発明の実施例に係る他のデータの受信装置を示す図である。
【発明を実施するための形態】
【００４５】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造的な作業を行わない限りに得られた他の実施例は、全部本発明の保護範囲に属する。
【００４６】
本発明の実施例に係る装置は、送信装置（即ち、送信端）と、受信装置（即ち、受信端）とを備える。送信装置は、当該送信装置にアクセスする受信装置との間で、ダウンリンク伝送及びアップリンク受信を行うことができる。送信装置は、１つまたは複数の同期信号（ＳＩ）を送信し、受信装置は、送信装置から同期信号を受信し、受信した同期信号により、ネットワークにアクセスする。
【００４７】
ここで、送信装置は、基地局または他のタイプの伝送ポイント装置とすることができる。受信装置は、ユーザ装置（または端末）とすることができる。もちろん、これに限定されるものではなく、例えば送信装置は他の端末を構成可能な端末であってもよい。あるいは、送信装置は複数のネットワーク局を含むことができる。ネットワークノードは、無線周波数構成要素（例えば、リモート無線ユニット（Ｒｅｍｏｔｅ Ｒａｄｉｏ ｕｎｉｔ，ＲＲＵ））のみ、またはベースバンド構成要素と無線周波数構成要素（例えば、アクティブアンテナ）の両方を含むことができる。ネットワークノードは、ベースバンドコンポーネント（例えば、ベースバンドユニット（Ｂａｓｅｂａｎｄ ｕｎｉｔ，ＢＢＵ））のみを含み得る。あるいは、エアインタフェース層におけるデジタル/無線周波数機能を全く含まなくてもよく、上位層信号の処理のみを担当してもよく、エアインタフェース層におけるベースバンド処理はアクティブアンテナ（Ａｃｔｉｖｅ ａｎｔｅｎｎａ）によって行われてもよい。他の多数の可能なネットワーク実施もあり得る。
【００４８】
端末は、ユーザ機器（Ｕｓｅｒ Ｅｑｕｉｐｍｅｎｔ，ＵＥ）と呼ばれることもあり、または端末、移動局（Ｍｏｂｉｌｅ Ｔｅｒｍｉｎａｌ、ＭＳ）、モバイル端末（Ｍｏｂｉｌｅ Ｔｅｒｍｉｎａｌ）などと呼ばれることもあり、端末は１つまたは複数のコアと通信することができる。 無線アクセスネットワーク（Ｒａｄｉｏ Ａｃｃｅｓｓ Ｎｅｔｗｏｒｋ，ＲＡＮ）を介したネットワーク。 例えば、端末は、携帯電話（または「セルラ」電話）、携帯端末を有するコンピュータなどであり得、例えば、端末は、携帯型、ポケット型、ハンドヘルド型、内蔵型コンピュータでもあり得る。これらは全て無線アクセスネットワークと音声および／またはデータを交換する。本発明の実施形態における端末は、デバイスツーデバイス（Ｄｅｖｉｃｅ ｔｏ Ｄｅｖｉｃｅ，Ｄ２Ｄ）端末またはマシンツーマシン（Ｍａｃｈｉｎｅ ｔｏ Ｍａｃｈｉｎｅ，Ｍ２Ｍ）端末でもあり得る。
【００４９】
本発明の実施形態による技術的解決策を説明するために、用語「第１」、「第２」などは、送信端の識別情報を互いに区別するために用いられる。情報の数、およびそれらの運用上の優先順位はこれに限定されない。第１識別子は送信端の識別情報の一部を含み、第２識別子は第１識別子以外の送信端の他の識別情報の一部または全部を含む。
【００５０】
本発明の実施例に係る送信端の識別情報は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含むがこれらに限定されない。
【００５１】
好ましくは、前記送信端が位置するエリアを識別する識別情報は、エリアを唯一に識別するエリアＩＤとすることができる。または、前記送信端が位置するエリアの所属のエリアグループのＩＤ及び前記送信端が位置するエリアの当該エリアグループ内のＩＤを含むこともできる。
【００５２】
好ましくは、前記送信端を識別する識別情報は、送信端を唯一に識別するＴＲＰ ＩＤとすることができる。または、前記送信端の所属のＴＲＰグループのＩＤと、前記送信端の当該ＴＲＰグループ内のＩＤとを含むこともできる。
【００５３】
好ましくは、前記送信端が前記ＳＩを送信するのに用いられるビームを識別する識別情報は、ビームを唯一に識別するＩＤとすることができる。または、前記送信端が前記ＳＩを送信するのに用いられるビームの所属のビームグループのＩＤ及び前記ビームのビームグループ内のＩＤを含むこともできる。
【００５４】
例えば、第１識別子はエリアＩＤであり、第２識別子はＴＲＰ ＩＤ及びビームＩＤである。別の例では、第１識別子はエリアＩＤ及びＴＲＰ ＩＤであり、第２識別子は、ビームＩＤである。別の例では、第１識別子はエリアＩＤ及びビームＩＤであり、第２識別子は、ＴＲＰ ＩＤである。別の例では、第１識別子はエリアＩＤであり、第２識別子はＴＲＰ ＩＤである。別の例では、第１識別子はエリアグループのＩＤであり、第２識別子は、送信端が位置するエリアの当該エリアグループ内のＩＤ、ＴＲＰ ＩＤ及びビームＩＤである。別の例では、第１識別子はエリアグループのＩＤ、送信端が位置するエリアの当該エリアグループ内のＩＤ、及びＴＲＰグループのＩＤであり、第２識別子は前記送信端の当該ＴＲＰグループ内のＩＤである。
【００５５】
本発明の実施例に係る「複数」は、２つまたは２つ以上を示す。
【００５６】
本発明の実施例に係る「エリア」は１つまたは複数の伝統なセルに対応してもよく、１つまたは複数のシステム情報エリアに対応してもよく、１つまたは複数のネットワークエリアに対応してもよい。他の方法でエリアを区分することもできるが、本発明の実施例は、エリア区分に限定されるものではない。
【００５７】
以下図面を参考しながら本発明に係る実施例を詳しく説明する。ここでの実施例は本発明を説明及び解釈するためにすぎず、本発明を限定するものではない。
【００５８】
図１に示す実施例に係る送信端側でのデータの送信方法は、以下のステップを備える。
【００５９】
Ｓ１１、送信端は、少なくとも１つの同期信号ＳＩを送信し、前記ＳＩに第１識別子が含まれる。
【００６０】
Ｓ１２、前記送信端は、前記ＳＩに対応するシステム情報の時間-周波数位置において、前記システム情報を送信し、前記システム情報に第２識別子を表す情報が含まれ、前記送信端の識別情報は、前記第１識別子と、前記第２識別子とを含む。
【００６１】
本発明の実施例に係る，ＳＩと第１識別子との間のマッピング関係に従って、受信端がＳＩを検出すると、第１識別子を取得することができる。システム情報に第２識別子を表す情報を含ませることにより、受信端がシステム情報を検出すると、第２識別子を取得することができる。このように、受信端は、第１識別子及び第２識別子に従って、送信端のすべての識別情報を取得することができ、したがって、ネットワークアクセスの柔軟性を向上させる。
【００６２】
本発明の実施例に係るエリア（例えば、セル）は１つまたは複数の送信端を含み、各送信端はそのエリア内の１つまたは複数のＳＩを送信することができる。エリア内で送信されるＳＩの数はビームの数に従って決定することができ、例えば、エリア内で送信されるＳＩの数はビームの数と同じである。または、そのエリア内で送信されるＳＩの数は、そのエリア内の送信端（たとえば、ＴＲＰ）の数に従って決定することができ、たとえばそのエリア内で送信されるＳＩの数は、そのエリア内のＴＲＰの数と同じである。
【００６３】
異なるエリアで送信されるＳＩの数は、同じでも異なってもよい。異なるエリアにおいてＳＩが送信される時間- 周波数位置は同じでも異なってもよい。
【００６４】
例えば、あるエリアはセルに対応し、無線ネットワークは広いカバレッジエリアを提供する。無線ネットワークは複数のセルをカバーし、各セルは異なる範囲をカバーする。セルは、ネットワークにアクセスするための無線ネットワーク対象として定義され、各セルは、そのセル内でブロードキャストされる唯一のセルＩＤに対応する。セルは１つまたは複数のＴＲＰを含むことができ、各ＴＲＰは１つまたは複数のアンテナを含む。ＴＲＰ上のアンテナはビームフォーミングを用いて動作することができ、ダウンリンク信号はビームフォーミング後にアンテナを介して送信されることができる。各ビームは、アンテナの数、およびビーム形成方式に応じて、広い範囲または狭い範囲をカバーする。セルは、ダウンリンクにおいて１つまたは複数の同期信号（ＳＩ）を送信し、それによってネットワークカバレッジを改善する。可能な実施形態では、セル内の各ＴＲＰは別々のＳＩを送信する。各ＳＩは、ＴＲＰからワイドビームフォーミングにより送信され、対応するＴＲＰに広いカバレッジを提供する。この場合、複数のＳＩは、セル全体にわたってすべてのＴＲＰによってカバーされるエリアをカバーする。別の可能な実施形態では、複数のＳＩは複数のビーム形成ビームにより送信される。即ち、当該セルの各ＴＲＰは各ビームによりＳＩを送信して何らかの方向を向く。複数のビームフォーミング後のビームは、セル全体のカバレッジを提供する。
【００６５】
本発明の実施例に係る1つのエリア内で送信されるＳＩに同じまたは異なるシーケンスを適用することができ、ＳＩのシーケンスは基本シーケンスまたは循環シフトシーケンスであり得る。
【００６６】
本発明の実施例に係るシステム情報は、以下の伝送パラメータのうちの少なくとも１つを含むが、それらに限定されない。
【００６７】
ダウンリンクシステム帯域幅、物理ハイブリッドＡＲＱインジケータチャネル（Ｐｈｙｓｉｃａｌ Ｈｙｂｒｉｄ-ＡＲＱ Ｉｎｄｉｃａｔｏｒ Ｃｈａｎｎｅｌ， ＰＨＩＣＨ；Ｈｙｂｒｉｄ Ａｕｔｏｍａｔｉｃ Ｒｅｐｅａｔ ｒｅＱｕｅｓｔ， ＨＡＲＱ）リソースインジケータ、システムフレーム番号（Ｓｙｓｔｅｍ Ｆｒａｍｅ Ｎｕｍｂｅｒ， ＳＦＮ）、及びアンテナポート数など。
【００６８】
可能の実施形態では、システム情報は、ＬＴＥシステム内のＭＩＢ（Ｍａｓｔｅｒ Ｉｎｆｏｒｍａｔｉｏｎ Ｂｌｏｃｋ）に対応する。
【００６９】
本発明の実施例に係る，第２識別子を表す情報は以下３つの可能な形態を含むがこれに限られない。
【００７０】
１番目は、第２識別子を表す情報は前記第２識別子である。
【００７１】
例えば、前記第２識別子がＴＲＰ ＩＤであれば、第２識別子を表す情報はＴＲＰ ＩＤである。
【００７２】
２番目は、第２識別子を表す情報と前記第２識別子の間に所定の第１制約条件を満たす。
【００７３】
例えばＳＩに対応する第２識別子を表す情報は、第２識別子に関する情報とプリセット値との合計である。別の例では、ＳＩに対応する第２識別子を表す情報はｆ（ｙ）であり、ここで、ｆ（）はプリセット関数であり、ｙは第２識別子を表す情報である。別の例では、ＳＩに対応する第２識別子を表す情報はｆ１（ｙ１、ｙ２）であり、ここで、ｆ１（）はプリセット関数であり、ｙ１およびｙ２は第２識別子を表す情報である。本発明の実施例は、第１制約条件を限定しない。
【００７４】
３番目は、第２識別子を表す情報、前記第１識別子及び前記第２識別子の間に限定された第２制約条件を満たす。
【００７５】
例えば、前記ＳＩに対応する第２識別子を表す情報はｇ（ｘ,ｙ）であり、ここで、ｇ（）は、プリセット関数を表し、ｘは前記第１識別子であり、ｙは前記第２識別子を表す情報である。本発明の実施例は、第２制約条件を限定しない。
【００７６】
上述のいずれの実施例に基づき、前記ＳＩに第１識別子が含まれるのは、以下３つの方式を有する。
【００７７】
方式１、前記ＳＩのシーケンスは、前記第１識別子に基づいて生成されたものである。
【００７８】
当該方式において、前記送信端は、前記第１識別子に基づき、前記ＳＩのシーケンスを生成する。
【００７９】
具体的に、前記送信端は、前記第１識別子に基づいて前記ＳＩの基本シーケンスを生成してもよく、前記第１識別子に基づいて前記ＳＩの循環シフトシーケンスを生成してもよい。
【００８０】
一方、受信端は、第１識別子の候補値で受信信号を検出することができる。候補値のうちのいずれか１つを使用して信号を検出すると、ＳＩが検出されたと判断し、当該候補値を前記ＳＩに対応する第１識別子として確定する。
【００８１】
ここで、第１識別子の候補値は、ネットワーク内のすべての可能な第１識別子とすることができ、またはネットワーク側で設定されることができ、あるいはプロトコルで事前定義することができる。
【００８２】
方式２、前記ＳＩは前記第１識別子に基づいてスクランブルされる。
【００８３】
当該方式において、前記送信端は、前記第１識別子で、前記ＳＩをスクランブルする。
【００８４】
一方、受信端は、第１識別子の候補値で受信信号を復号し、候補値のいずれか１つを使用して信号の復号に成功すると、ＳＩが検出されたと判断し、当該候補値を前記ＳＩに対応する第１識別子として確定する。
【００８５】
ここで、第１識別子の候補値は、ネットワーク内のすべての可能な第１識別子とすることができ、またはネットワーク側で設定されることができ、あるいはプロトコルで事前定義することができる。
【００８６】
方式３、前記ＳＩ内のビット情報に前記第１識別子を表す情報が含まれる。
【００８７】
当該方式において、前記送信端は、前記ＳＩ内のビット情報に前記ＳＩに対応する第１識別子を表す情報を含ませる。
【００８８】
具体的に、前記ＳＩに対応する第１識別子を表す情報は、以下の２つの可能な形態を含むがこれに限定されない。
【００８９】
１番目は、前記ＳＩに対応する第１識別子を表す情報は前記第１識別子である。
【００９０】
例えば、前記第１識別子はエリアＩＤであれ場、前記ＳＩに対応する第１識別子を表す情報はエリアＩＤである。
【００９１】
２番目は、前記ＳＩに対応する第１識別子を表す情報と前記第１識別子は、所定の制約条件を満たす。
【００９２】
例えば、ＳＩに対応する第１識別子を表す情報は、第１識別子とプリセット値との合計である。別の例では、ＳＩに対応する第１識別子を表す情報は第１識別子の倍数である。別の例では、ＳＩに対応する第１識別子を表す情報はｆ（ｘ）であり、ここで、f（）は、プリセット関数を表し、ｘは第１識別子である。制約条件は、本発明の実施形態におけるいかなる特定の実施にも限定されない。
【００９３】
一方、受信端の受信機は、ＳＩを成功に検出すると、第１識別子を表す情報をＳＩから直接取得する。
【００９４】
具体的に、前記第１識別子を表す情報は前記第１識別子自身であれば、受信端は、前記第１識別子を直接取得する。前記第１識別子を表す情報が所定の制約条件を満たす第１識別子の値である場合、受信端は前記第１識別子を表す情報を取得した後、所定の制約条件に基づき、前記第１識別子を確定する。
【００９５】
上述のいずれの実施例に基づき、可能の実施形態では、前記ＳＩに対応するシステム情報の時間-周波数位置を事前に定義し、送信端は、所定の時間-周波数位置において、前記ＳＩに対応するシステム情報を送信する。
【００９６】
例えばＳＩに対応するシステム情報の周波数領域における位置は、中心周波数を中心とするＭ個の物理リソースブロック（Ｐｈｙｓｉｃａｌ Ｒｅｓｏｕｒｃｅ Ｂｌｏｃｋ， ＰＲＢ）として、Ｍは、正の整数である。
【００９７】
当該方式は以下２つの可能の実施方式を含む。
【００９８】
１番目は、前記ＳＩに対応するシステム情報の時間-周波数位置を１個として事前に定義すれば、送信端は、当該時間-周波数位置において、前記ＳＩに対応するシステム情報を直ちに送信する。
【００９９】
２番目は、前記ＳＩに対応するシステム情報の時間-周波数位置を複数として事前に定義すれば、即ち、時間-周波数位置集合を事前に定義すれば、送信端は、事前に定義された時間-周波数位置集合から、１つを選出して、前記ＳＩに対応するシステム情報の時間-周波数位置として確定する。
【０１００】
他の可能の実施形態では、ＳＩとＳＩに対応するシステム情報の時間-周波数位置との間の対応関係を事前に設定する。具体的に、以下２つの可能の実施方式を含む。
【０１０１】
方式１、第１マッピング関係によりＳＩの時間-周波数位置とシステム情報の時間-周波数位置との間の対応関係を定義する。ここで、第１マッピング関係では、１つのＳＩの時間-周波数位置は、１つのシステム情報の時間-周波数位置に対応し、または、複数のＳＩの時間-周波数位置が１つのシステム情報の時間-周波数位置に対応する。また、前記第１マッピング関係により定義された１つのシステム情報の時間-周波数位置は１つまたは複数である。
【０１０２】
例えば、第１マッピング関係により定義されたＳＩに対応するシステム情報の周波数領域位置は、Ｎ個のリソース要素（例えば、ＰＲＢ、リソース粒子（Ｒｅｓｏｕｒｃｅ Ｅｌｅｍｅｎｔ， ＲＥ）など）によってオフセットされた前記ＳＩの周波数領域位置である。
【０１０３】
当該方式において、第１マッピング関係は、送信端により確定された後に受信端に通知されてもよく、あるいはプロトコルで事前定義することができる。
【０１０４】
当該方式において、前記送信端は以下のステップに従って、前記ＳＩに対応するシステム情報の時間-周波数位置を確定する。
【０１０５】
前記送信端は、前記ＳＩの時間-周波数位置及び第１マッピング関係に基づき、前記ＳＩに対応するシステム情報の時間-周波数位置を確定する。
【０１０６】
当該方式において、送信端が、前記ＳＩの時間-周波数位置及び第１マッピング関係に基づいて確定された前記ＳＩに対応するシステム情報の時間-周波数位置が１つであれば、当該時間-周波数位置において前記システム情報を直ちに送信する。
【０１０７】
送信端が、前記ＳＩの時間-周波数位置及び第１マッピング関係に基づいて確定された前記ＳＩに対応するシステム情報の時間-周波数位置が少なくとも２つであれば、送信端は、前記少なくとも２個の時間-周波数位置から、１つを選出して前記システム情報の時間-周波数位置とする。
【０１０８】
方式２、第２マッピング関係により、前記第２マッピング関係を定義して、ＳＩに対応する第１識別子とＳＩに対応するシステム情報の時間-周波数位置との間の対応関係を表す。ここで、第２マッピング関係ないの１つのＳＩに対応する第１識別子は、１つのシステム情報の時間-周波数位置に対応するか、または、複数のＳＩに対応する第１識別子が、１つのシステム情報の時間-周波数位置に対応する。また、前記第２マッピング関係により定義された１つのシステム情報の時間-周波数位置は１つまたは複数である。
【０１０９】
当該方式において、第２マッピング関係は、送信端により確定された後に受信端に通知されてもよく、あるいはプロトコルで事前定義することができる。
【０１１０】
当該方式において、前記送信端は以下のステップに従って、前記ＳＩに対応するシステム情報の時間-周波数位置を確定する。
【０１１１】
前記送信端は、前記第１識別子及び第２マッピング関係に基づき、前記ＳＩに対応するシステム情報の時間-周波数位置を確定する。
【０１１２】
当該方式において、送信端が前記第１識別子及び第２マッピング関係に基づいて確定された前記第１識別子に対応するシステム情報の時間-周波数位置が１つであれば、送信端は、当該時間-周波数位置において、前記システム情報を直ちに送信する。
【０１１３】
送信端が前記第１識別子及び第２マッピング関係に基づいて確定された前記第１識別子に対応するシステム情報の時間-周波数位置が少なくとも２つであれば、送信端は、前記少なくとも２個の時間-周波数位置から、１つを選出して前記システム情報の時間-周波数位置とする。
【０１１４】
本発明の実施例に係る時間-周波数位置は、時間領域位置及び/または周波数領域位置を含む。ここで、ＳＩの時間-周波数位置は、当該ＳＩに占有された時間-周波数リソースの開始位置、中間位置、または、終了位置であることができる。システム情報の時間-周波数位置は、当該システム情報に占有された時間-周波数リソースの開始位置、中間位置、または、終了位置であることができる。
【０１１５】
上述のいずれの実施例に基づき、可能の実施形態では、システム情報と第１識別子との間の対応関係を設定するには、具体的に、以下２つの可能の実施方式を有する。
【０１１６】
方式Ａ、前記送信端は、前記第１識別子で前記システム情報をスクランブルする。
【０１１７】
方式Ｂ、前記送信端は、前記第１識別子に基づき、前記システム情報のリファレンス信号を生成する。
【０１１８】
勿論、システム情報と第１識別子との間の対応関係を設定せず、送信端は、他のスクランブル方式で前記システム情報をスクランブルすることもできる。例えば、事前設定されたスクランブルコードを使用してシステム情報をスクランブルすることができる。別の例では、事前設定されたスクランブルコード集合から、スクランブルコードを選出して前記システム情報をスクランブルする。
【０１１９】
上述のいずれの実施例に基づき、可能な実施形態では、ＳＩは複数の構成要素（ｃｏｍｐｏｎｅｎｔ）を含むことができ、それぞれの構成要素は同じでも同じでなくてもよい。ＳＩに含まれる複数の構成要素は、周波数分割多重（Ｆｒｅｑｕｅｎｃｙ Ｄｉｖｉｓｉｏｎ Ｍｕｌｔｉｐｌｅｘｉｎｇ， ＦＤＭ）、時分割多重（Ｔｉｍｅ Ｄｉｖｉｓｉｏｎ Ｍｕｌｔｉｐｌｅｘｉｎｇ， ＴＤＭ）、及び/または符号分割多重（Ｃｏｄｅ Ｄｉｖｉｓｉｏｎ Ｍｕｌｔｉｐｌｅｘｉｎｇ， ＣＤＭ）または他の多重化パターンで区別することができる。
【０１２０】
好ましくは、エリア内の異なるＳＩは、ＦＤＭ、ＴＤＭ、及び／またはＣＤＭなどの多重化パターンで区別することができる。
【０１２１】
好ましくは、エリア内の異なるＳＩに含まれる異なる構成要素はＦＤＭ、ＴＤＭ、及び／またはＣＤＭなどの多重化パターンで区別することができる。
【０１２２】
例を挙げてい説明する。図２に示す実施例では、ＳＩおよびシステム情報を送信するための可能な方式が示されており、図２では、送信端は異なるビームを介して４つのＳｉを同時に送信する。即ち、ビーム１を介してＳＩ１を送信し、ビーム２を介してＳＩ２を送信し、ビーム３を介してＳＩ３を送信し、ビーム４を介してＳＩ４を送信する。およびビーム４上のＳＩ４であり、これら４つのＳＩはＦＤＭパターンで多重化されている。各ＳＩが１つのシステム情報（例えば、ＭＩＢ）に対応し、即ち、ＳＩ１はＭＩＢ１に対応し、ＳＩ２はＭＩＢ２に対応し、ＳＩ３はＭＩＢ３に対応し、ＳＩ４はＭＩＢ４に対応する。ＳＩには送信端の第１識別子が含まれ、ＭＩＢには第２識別子が含まれる。実施例として、第１識別子は送信端のセルＩＤであり、第２識別子はＳＩをビームフォーミングするためのビームＩＤであり、ＳＩのシーケンスはセルＩＤに基づいて生成される。当該実施例では、４つのＳＩのシーケンスは全く同じであり、第１のＩＤについての対応する情報もまったく同じである。
【０１２３】
可能の実施形態では、前記ＳＩは少なくとも２つのサブ信号を含み、前記第１識別子は少なくとも２つの第１のサブ識別子を含み、各サブ信号は第１のサブ識別子のうちの１つに対応し、異なるサブ信号に対応する第１のサブ識別子は異なる。
【０１２４】
例えば、ＳＩは、ＰＳＳ及びＳＳＳとの２つのサブ信号（構成要素）を含み、前記第１識別子はセルＩＤであり、当該セルＩＤは、セクタＩＤ及びグループ内ＩＤ、即ち、２つの第１のサブ識別子を含み、ここで、ＰＳＳはセクタＩＤに対応し、３つの値を有する。ＳＳＳはグループ内ＩＤに対応し、１２８個の値を取るので、５０４個のセルＩＤに対応することができる。
【０１２５】
当該方式において、前記送信端は、前記ＳＩに対応する第１識別子に基づき、前記ＳＩのシーケンスを生成する場合、いずれかの第１のサブ識別子に基づき、前記ＳＩのシーケンスを生成する。異なる第１のサブ識別子に基づき、前記ＳＩの異なるサブ信号のシーケンスを生成する。本発明に係る実施例は具体的な実施を限定しない。
【０１２６】
当該方式において、前記送信端が前記ＳＩに対応する第１識別子で前記ＳＩをスクランブルする場合、いずれかの第１のサブ識別子で、前記ＳＩをスクランブルする。また、異なる第１のサブ識別子で前記ＳＩの異なるサブ信号をスクランブルする。本発明に係る実施例は具体的な実施を限定しない。
【０１２７】
同様な発明思想に基づき、図３に示す実施例に係る受信端側のデータの受信方法は以下のステップを備える。
【０１２８】
Ｓ３１、受信端は、少なくとも１つの同期信号ＳＩを検出した後、前記ＳＩに含まれる第１識別子を確定する。
【０１２９】
本ステップにおいて、受信端は、エリア内で各ＳＩを別々に検出することができ、または複数のＳＩを一緒に検出することができる。ＳＩが一緒に検出された場合、ユーザは、ＳＩの検出たびに受信信号から各検出されたＳＩを削除する。このように類推する。
【０１３０】
好ましくは、送信端により複数のＳＩが送信された場合、受信端は、それぞれのＳＩを検出してもよく、第１個のＳＩを検出した後に、ＳＩの検出を停止する。
【０１３１】
Ｓ３２、前記受信端は、前記ＳＩに対応するシステム情報を検出する。
【０１３２】
Ｓ３３、前記受信端は、前記システム情報に基づき、第２識別子を確定する。前記システム情報に第２識別子を表す情報が含まれる。
【０１３３】
前記ＳＩを送信する送信端の識別情報は、前記第１識別子と、前記第２識別子とを含む。
【０１３４】
本発明の実施例に係るＳＩと第１識別子との間のマッピング関係により、受信端がＳＩを検出すると、第１識別子を取得することができる。システム情報に第２識別子を表す情報を含ませることにより、受信端がシステム情報を検出すると、第２識別子を取得することができる。このように、受信端は、第１識別子及び第２識別子に従って、送信端のすべての識別情報を取得することができ、当該識別情報は、初期アクセス、セル再選、セルハンドオーバなどに用いられ、したがって、ネットワークアクセスの柔軟性を向上させる。
【０１３５】
可能の実施形態では、Ｓ３１での受信端は、少なくとも１つの同期信号ＳＩを検出した後、前記ＳＩに含まれる第１識別子を確定する場合、
前記受信端は、前記ＳＩのシーケンスに基づき、前記第１識別子を確定し、これは上記の方式１に対応するので、その詳細については図１に示す実施例の説明を参照することができる。
【０１３６】
または、前記受信端は、前記ＳＩのデスクランブルコードに基づき、前記第１識別子として確定し、これは上記の方式２に対応するので、その詳細については図１に示す実施例の説明を参照することができる。
【０１３７】
または、前記受信端は、前記ＳＩ内のビット情報から、前記第１識別子を確定し、前記ＳＩ内のビット情報に前記第１識別子を表す情報が含まれる。これは上記の方式３に対応するので、その詳細については図１に示す実施例の説明を参照することができる。
【０１３８】
受信端がＳＩを検出する場合、第１識別子の可能な値に基づいてシーケンスを生成し、これらのシーケンスを使用して受信信号を検出して受信信号がＳＩであるかどうかを判定する。または、受信端がＳＩを検出する場合、第１識別子の可能な値に基づき、受信した信号に対しデスクランブルを行う。デスクランブルが成功したときにのみＳＩを検出する。前記第１識別子の可能な値は、送信端により確定された後に受信端に通知され、または、プロトコルにより事前に定義される。ここで、受信端が第１識別子の可能な値を使用してシーケンスを生成し、これらのシーケンスを使用して受信信号を検出する可能な実施において、受信端はローカルで生成されたシーケンスを受信信号と相関つけ、相関つけた後のピーク値が所定のしきい値より大きければ、ＳＩを検出したと認める。ＳＩに対応するシーケンスは、当該ローカルで生成されたシーケンスであり、対応の第１識別子の値は、当該ローカルシーケンスを生成する第１識別子である。
【０１３９】
可能の実施形態では、Ｓ３２での前記受信端は、前記ＳＩに対応するシステム情報を検出する場合、
前記受信端は、前記第１識別子に基づき、受信した信号に対しデスクランブルを行う。上述の方式Ａに対応し、その詳細については図１に示す実施例の説明を参照することができる。
【０１４０】
または、前記受信端は、前記第１識別子に基づき、前記システム情報のリファレンス信号を確定し、また、前記リファレンス信号に基づき、前記システム情報を検出し、上述の方式Ｂに対応し、その詳細については図１に示す実施例の説明を参照することができる。
【０１４１】
勿論、システム情報と第１識別子との間の対応関係を設定せず、受信端は、他のデスクランブル方式で受信信号をデスクランブルすることができ、デスクランブルが成功すれば、前記システム情報を検出したと認める。例えば、事前設定されたデスクランブルコードで受信信号をデスクランブルし、デスクランブルが成功すれば、前記システム情報を検出したと認める。別の例では、事前設定されたスクランブルコード集合内の各デスクランブルコードを走査し、受信信号をデスクランブルし、デスクランブルが成功すれば、前記システム情報を検出したと認める。
【０１４２】
上述のいずれかの実施例に基づき、Ｓ３２での前記受信端は、前記ＳＩに対応するシステム情報を検出する場合、前記受信端は、前記ＳＩに対応するシステム情報の候補時間-周波数位置を確定し、前記システム情報の候補時間-周波数位置において、前記システム情報を検出する。
【０１４３】
可能の実施形態では、前記受信端は以下の方式で前記システム情報の候補時間-周波数位置を確定する。
【０１４４】
前記受信端は事前に定義された時間-周波数位置集合に基づき、前記ＳＩに対応するシステム情報の候補時間-周波数位置を確定する。
【０１４５】
他の可能の実施形態では、前記受信端は以下の方式で前記システム情報の候補時間-周波数位置を確定し、
前記受信端は、前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表す。これは上記の方式１に対応するので、詳しくは図１に示す実施例の関連記載を参考されたい。または、
前記受信端は、前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表す。これは上記の方式２に対応するので、詳しくは図１に示す実施例の関連記載を参考されたい。
【０１４６】
具体的に、受信端は、それぞれの候補時間-周波数位置において検出する必要がある。
【０１４７】
上述いずれかの実施例に基づき、好ましくは、Ｓ３３での前記受信端は、前記システム情報に基づき、第２識別子を確定する場合、
前記受信端は、前記第２識別子を表す情報及び事前に定義された第１制約条件に基づき、前記第２識別子を確定し、または、
前記受信端は、前記第１識別子、前記第２識別子を表す情報及び事前に定義された第２制約条件に基づき、前記第２識別子を確定する。
【０１４８】
上記方法の処理フローは、ソフトウェアプログラムで実行することができ、ソフトウェアプログラムは記憶媒体に格納することができ、格納されたソフトウェアプログラムが呼び出されると、上記方法のステップを実行することができる。
【０１４９】
同様な発明思想に基づき、本発明の実施例には、データの送信装置をさらに提供し、当該装置の問題解決原理は上述の図１に示すデータの送信方法と類似するため、当該装置の実施は方法の実施を参考することができ、繰り返して説明しない。
【０１５０】
図４に示す実施例に係るデータの送信装置は、
少なくとも１つの同期信号ＳＩを送信し、前記ＳＩに第１識別子を含ませる第１処理モジュール４１と、
前記ＳＩに対応するシステム情報の時間-周波数位置において、前記システム情報を送信する第２処理モジュール４２とを備える。
【０１５１】
前記システム情報に第２識別子を表す情報が含まれ、前記送信端の識別情報は、前記第１識別子と、前記第２識別子とを含む。
【０１５２】
好ましくは、前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませる。
【０１５３】
好ましくは、前記第２処理モジュールは、
前記第１識別子で前記システム情報をスクランブルし、または、
前記第１識別子に基づき、前記システム情報のリファレンス信号を生成する。
【０１５４】
好ましくは、前記第２処理モジュールは、
前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の時間-周波数位置を確定し、前記時間-周波数位置集合に前記ＳＩに対応するシステム情報の時間-周波数位置が含まれる。
【０１５５】
好ましくは、前記ＳＩに対応するシステム情報の時間-周波数位置が少なくとも２個であれば、前記第２処理モジュールは、前記少なくとも２個の時間-周波数位置から、１つを選出して前記システム情報の時間-周波数位置とする。
【０１５６】
図５に示す実施例では、送信端がネットワークノードである場合を例にして、本発明の実施例に係る送信装置ハードウェア構成および処理を説明する。前記送信装置は、送受信機５１と、当該送受信機５１に接続する少なくとも１つのプロセッサ５２とを備える。
【０１５７】
前記プロセッサ５２は、メモリ５３に格納されたプログラムを読み出し、前記送受信機を介して少なくとも１つの同期信号ＳＩを送信し、前記ＳＩに第１識別子を含ませ、
前記ＳＩに対応するシステム情報の時間-周波数位置において、前記送受信機を介して前記システム情報を送信し、前記システム情報に第２識別子を表す情報が含まれる。
【０１５８】
前記送受信機５１は、前記プロセッサ５２の制御により、データを送受信する。
【０１５９】
前記送信端の識別情報は、前記第１識別子と、前記第２識別子とを含む。
【０１６０】
図５において、バスアーキテクチャは、いずれ数の相互接続するバス及びブリッジを備える。具体的に、プロセッサ５２が代表となる１つまたは複数のプロセッサ及びメモリ５３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１は、複数の部品であることができ、即ち、送信機及び受信機を備え、伝送媒体を介して他の装置と通信するユニットを提供する。
【０１６１】
前記プロセッサ５２は、バスアーキテクチャ及び通常の処理を管理し、前記メモリ５３は、前記プロセッサ５２が動作する際に利用するデータを記憶することができる。
【０１６２】
好ましくは、前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませる。
【０１６３】
好ましくは、前記プロセッサは、メモリに格納されたプログラムを読み出し、
前記第１識別子で前記システム情報をスクランブルし、または、
前記第１識別子に基づき、前記システム情報のリファレンス信号を生成する。
【０１６４】
好ましくは、前記プロセッサは、メモリに格納されたプログラムを読み出し、
前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の時間-周波数位置を確定し、前記時間-周波数位置集合に前記ＳＩに対応するシステム情報の時間-周波数位置が含まれる。
【０１６５】
好ましくは、前記ＳＩに対応するシステム情報の時間-周波数位置が少なくとも２個であれば、前記プロセッサは、メモリに格納されたプログラムを読み出し、
前記少なくとも２個の時間-周波数位置から、１つを選出して前記システム情報の時間-周波数位置とする。
【０１６６】
同様な発明思想に基づき、本発明の実施例は、データの受信装置をされに提供し、当該装置の課題解決原理は上述の図３に示すデータの受信方法と類似するため、当該装置の実施は方法の実施を参考することができ、繰り返して説明しない。
【０１６７】
図６に示す実施例に係るデータの受信装置は、
少なくとも１つの同期信号ＳＩを検出した後、前記ＳＩに含まれる第１識別子を確定する第１確定モジュール６１と、
前記ＳＩに対応するシステム情報を検出する検出モジュール６２と、
前記システム情報に基づき、第２識別子を確定する第２確定モジュール６３とを備える。
【０１６８】
前記システム情報に前記第２識別子を表す情報が含まれる。
【０１６９】
前記ＳＩを送信する送信端の識別情報は、前記第１識別子と、前記第２識別子とを含む。
【０１７０】
好ましくは、前記第１確定モジュールは、
前記ＳＩのシーケンスに基づき、前記第１識別子を確定し、または、
前記ＳＩのデスクランブルコードを、前記第１識別子として確定し、または、
前記ＳＩ中のビット情報から、前記第１識別子を確定し、前記ＳＩ内のビット情報に前記第１識別子を表す情報が含まれる。
【０１７１】
好ましくは、前記検出モジュールは、
前記第１識別子に基づき、受信した信号に対しデスクランブルを行い、または、
前記第１識別子に基づき、前記システム情報のリファレンス信号を確定し、また、前記リファレンス信号に基づき、前記システム情報を検出する。
【０１７２】
好ましくは、前記検出モジュールは、
前記ＳＩに対応するシステム情報の候補時間-周波数位置を確定し、前記システム情報の候補時間-周波数位置において、前記システム情報を検出し、前記受信端は以下のステップに従って、前記システム情報の候補時間-周波数位置を確定する。
【０１７３】
前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の候補時間-周波数位置を確定する。
【０１７４】
好ましくは、前記第２確定モジュールは、
前記第２識別子を表す情報及び事前に定義された第１制約条件に基づき、前記第２識別子を確定し、または、
前記第１識別子、前記第２識別子を表す情報及び事前に定義された第２制約条件に基づき、前記第２識別子を確定する。
【０１７５】
図７に示す実施例では、端末の例を挙げて本発明の実施例に係る受信装置のハードウェア構成および処理を説明する。前記受信装置は、送受信機７１と、当該送受信機７１に接続する少なくとも１つのプロセッサ７２とを備える。
【０１７６】
前記プロセッサ７２は、メモリ７３に格納されたプログラムを読み出し、少なくとも１つの同期信号ＳＩを検出した後、前記ＳＩに含まれる第１識別子を確定し、前記第１識別子には、前記ＳＩを送信する送信端の識別情報のうちの一部の情報が含まれる。前記ＳＩに対応するシステム情報の候補時間-周波数位置において、前記システム情報を検出し、前記システム情報に基づき、第２識別子を確定する。前記第２識別子には、前記第１識別子以外の前記識別情報の一部または全部の情報が含まれる。前記システム情報に第２識別子を表す情報が含まれる。
【０１７７】
前記送受信機７１は、前記プロセッサ７２の制御により、データを送受信する。
【０１７８】
図７において、バスアーキテクチャは、いずれ数の相互接続するバス及びブリッジを備える。具体的に、プロセッサ７２が代表となる１つまたは複数のプロセッサ及びメモリ７３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機７１は、複数の部品であることができ、即ち、送信機及び受信機を備え、伝送媒体を介して他の装置と通信するユニットを提供する。異なるユーザ設備に対し、ユーザインターフェース７４は、外部接続または内部接続に必要な設備のインターフェースであることもできる。接続する設備は、キーパッド、ディスプレイ、スピーカ、マイクロホン、ジョイスティック等を備えるが、これに限られない。
【０１７９】
プロセッサ７２は、バスアーキテクチャ及び通常の処理を管理し、メモリ７３は、プロセッサ７２が動作する際に利用するデータを記憶することができる。
【０１８０】
好ましくは、前記プロセッサは、前記メモリに格納されたプログラムを読み出し、
前記ＳＩのシーケンスに基づき、前記第１識別子を確定し、または、
前記ＳＩのデスクランブルコードを、前記第１識別子として確定し、または、
前記ＳＩ中のビット情報から、前記第１識別子を確定し、前記ＳＩ内のビット情報に前記第１識別子を表す情報が含まれる。
【０１８１】
好ましくは、前記プロセッサは、前記メモリに格納されたプログラムを読み出し、
前記第１識別子に基づき、受信した信号に対しデスクランブルを行い、または、
前記第１識別子に基づき、前記システム情報のリファレンス信号を確定し、また、前記リファレンス信号に基づき、前記システム情報を検出する。
【０１８２】
好ましくは、前記プロセッサは、前記メモリに格納されたプログラムを読み出し、
前記ＳＩに対応するシステム情報の候補時間-周波数位置を確定し、前記システム情報の候補時間-周波数位置において、前記システム情報を検出し、ここで、以下のステップで、前記システム情報の候補時間-周波数位置を確定する。
【０１８３】
前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の候補時間-周波数位置を確定する。
【０１８４】
好ましくは、前記プロセッサは、前記メモリに格納されたプログラムを読み出し、
前記第２識別子を表す情報及び事前に定義された第１制約条件に基づき、前記第２識別子を確定し、または、
前記第１識別子、前記第２識別子を表す情報及び事前に定義された第２制約条件に基づき、前記第２識別子を確定する。
【０１８５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１８６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０１８７】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１８８】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１８９】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１９０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【０１９１】
本出願は、２０１６年０７月２２日に中国特許局に提出し、出願番号が２０１６１０５８７５４３.７であり、発明の名称が「データ伝送の方法及び装置」との中国特許出願を基礎とする優先権を主張し、その開示の総てをここに取り込む。
【符号の説明】
【０１９２】
４１  第１処理モジュール
４２  第２処理モジュール
５１  送受信機
５２  プロセッサ
５３  メモリ
６１  第１確定モジュール
６２  検出モジュール
６３  第２確定モジュール
７１  送受信機
７２  プロセッサ
７３  メモリ
７４  ユーザインターフェース
【図１】
2019527517.tif 000003
【図２】
2019527517.tif 000004
【図３】
2019527517.tif 000005
【図４】
2019527517.tif 000006
【図５】
2019527517.tif 000007
【図６】
2019527517.tif 000008
【図７】
2019527517.tif 000009
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
送信端は、少なくとも１つの同期信号ＳＩを送信し、前記ＳＩに第１識別子を含ませるステップと、
前記送信端は、前記ＳＩに対応するシステム情報の時間-周波数位置において、前記システム情報を送信するステップとを備え、
前記システム情報に第２識別子を表す情報が含まれ、
前記送信端の識別情報は、前記第１識別子と、前記第２識別子とを含むことを特徴とするデータの送信方法。
【請求項２】
前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませることを特徴とする請求項1に記載のデータの送信方法。
【請求項３】
前記送信端は、前記第１識別子で前記システム情報をスクランブルし、または、
前記送信端は、前記第１識別子に基づき、前記システム情報のリファレンス信号を生成することを特徴とする請求項1に記載のデータの送信方法。
【請求項４】
前記送信端は、以下の方式で前記ＳＩに対応するシステム情報の時間-周波数位置を確定し、
前記送信端は、前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記送信端は、前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
前記送信端は、事前に定義された時間-周波数位置集合に基づき、前記ＳＩに対応するシステム情報の時間-周波数位置を確定し、前記時間-周波数位置集合に前記ＳＩに対応するシステム情報の時間-周波数位置が含まれることを特徴とする請求項1に記載のデータの送信方法。
【請求項５】
前記第１識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含み、
前記第２識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含むことを特徴とする請求項1ないし請求項４のいずれか1項に記載のデータの送信方法。
【請求項６】
受信端は、少なくとも１つの同期信号ＳＩを検出した後、前記ＳＩに含まれる第１識別子を確定するステップと、
前記受信端は、前記ＳＩに対応するシステム情報を検出するステップと、
前記受信端は、前記システム情報に基づき、第２識別子を確定するステップとを備え、
前記システム情報に前記第２識別子を表す情報が含まれ、
前記ＳＩを送信する送信端の識別情報は、前記第１識別子と、前記第２識別子とを含むことを特徴とするデータの受信方法。
【請求項７】
前記受信端は、少なくとも１つの同期信号ＳＩを検出した後、前記ＳＩに含まれる第１識別子を確定する場合、
前記受信端は、前記ＳＩのシーケンスに基づき、前記第１識別子を確定し、または、
前記受信端は、前記ＳＩのデスクランブルコードを、前記第１識別子として確定し、または、
前記受信端は、前記ＳＩ内のビット情報から、前記第１識別子を確定し、前記ＳＩ内のビット情報に前記第１識別子を表す情報が含まれることを特徴とする請求項６に記載のデータの受信方法。
【請求項８】
前記受信端は、前記候補時間-周波数位置において、前記システム情報を検出する場合、
前記受信端は、前記第１識別子に基づき、受信した信号に対しデスクランブルを行い、または、
前記受信端は、前記第１識別子に基づき、前記システム情報のリファレンス信号を確定し、また、前記リファレンス信号に基づき、前記システム情報を検出することを特徴とする請求項６に記載のデータの受信方法。
【請求項９】
前記受信端は、前記ＳＩに対応するシステム情報を検出する場合、
前記受信端は、前記ＳＩに対応するシステム情報の候補時間-周波数位置を確定し、前記システム情報の候補時間-周波数位置において、前記システム情報を検出し、前記受信端は、以下の方式で前記システム情報の候補時間-周波数位置を確定し、
前記受信端は、前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記受信端は、前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
前記受信端は事前に定義された時間-周波数位置集合に基づき、前記ＳＩに対応するシステム情報の候補時間-周波数位置を確定することを特徴とする請求項６に記載のデータの受信方法。
【請求項１０】
前記第１識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含み、
前記第２識別子は、前記送信端が位置するエリアを識別する識別情報と、前記送信端を識別する識別情報と、前記送信端が前記ＳＩを送信するのに用いられるビームを識別する識別情報とのうちの１つまたはこれらの組み合わせを含むことを特徴とする請求項６ないし請求項９のいずれか１項に記載のデータの受信方法。
【請求項１１】
少なくとも１つの同期信号ＳＩを送信し、前記ＳＩに第１識別子を含ませる第１処理モジュールと、
前記ＳＩに対応するシステム情報の時間-周波数位置において、前記システム情報を送信する第２処理モジュールとを備え、
前記システム情報に第２識別子を表す情報が含まれ、
前記送信端の識別情報は、前記第１識別子と、前記第２識別子とを含むことを特徴とするデータの送信装置。
【請求項１２】
前記ＳＩに前記第１識別子を含ませる場合、
前記第１識別子に基づき、前記ＳＩのシーケンスを生成し、または、
前記第１識別子で前記ＳＩをスクランブルし、または、
前記ＳＩ内のビット情報に前記第１識別子を表す情報を含ませることを特徴とする請求項１１に記載のデータの送信装置。
【請求項１３】
前記第２処理モジュールは、
前記第１識別子で前記システム情報をスクランブルし、または、
前記第１識別子に基づき、前記システム情報のリファレンス信号を生成することを特徴とする請求項１１に記載のデータの送信装置。
【請求項１４】
前記第２処理モジュールは、
前記ＳＩの時間-周波数位置及び第１マッピング関係に基づき、前記ＳＩに対応するシステム情報の時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の時間-周波数位置を確定し、前記時間-周波数位置集合に前記ＳＩに対応するシステム情報の時間-周波数位置が含まれることを特徴とする請求項１１に記載のデータの送信装置。
【請求項１５】
少なくとも１つの同期信号ＳＩを検出した後、前記ＳＩに含まれる第１識別子を確定する第１確定モジュールと、
前記ＳＩに対応するシステム情報を検出する検出モジュールと、
前記システム情報に基づき、第２識別子を確定する第２確定モジュールとを備え、
前記システム情報に第２識別子を表す情報が含まれ、
前記ＳＩを送信する送信端の識別情報は、前記第１識別子と、前記第２識別子とを含むことを特徴とするデータの受信装置。
【請求項１６】
前記第１確定モジュールは、
前記ＳＩのシーケンスに基づき、前記第１識別子を確定し、または、
前記ＳＩのデスクランブルコードを、前記第１識別子として確定し、または、
前記ＳＩ中のビット情報から、前記第１識別子を確定し、前記ＳＩ内のビット情報に前記第１識別子を表す情報が含まれることを特徴とする請求項１５に記載のデータの受信装置。
【請求項１７】
前記検出モジュールは、
前記第１識別子に基づき、受信した信号に対しデスクランブルを行い、または、
前記第１識別子に基づき、前記システム情報のリファレンス信号を確定し、また、前記リファレンス信号に基づき、前記システム情報を検出することを特徴とする請求項１５に記載のデータの受信装置。
【請求項１８】
前記検出モジュールは、
前記ＳＩに対応するシステム情報の候補時間-周波数位置を確定し、前記システム情報の候補時間-周波数位置において、前記システム情報を検出し、ここで、以下の方式で前記システム情報の候補時間-周波数位置を確定し、
前記ＳＩの時間-周波数位置及び第１マッピング関係に基づき、前記ＳＩに対応するシステム情報の候補時間-周波数位置を確定し、前記第１マッピング関係は、ＳＩの時間-周波数位置とシステム情報の時間-周波数位置との間の対応関係を表し、または、
前記第１識別子及び第２マッピング関係に基づき、前記ＳＩに対応するシステム情報の候補時間-周波数位置を確定し、前記第２マッピング関係は、ＳＩに対応する第１識別子とＳＩに対応するシステム情報の時間-周波数位置との間の対応関係を表し、または、
事前に定義された時間-周波数位置集合に基づき、前記ＳＩに対応するシステム情報の候補時間-周波数位置を確定することを特徴とする請求項１５に記載のデータの受信装置。
【国際調査報告】
2019527517.tif 000010
2019527517.tif 000011
2019527517.tif 000012
2019527517.tif 000013